(57)【特許請求の範囲】
【請求項１】
浴室の天井に設置される設備機器において、
前記浴室の天井に設置される筐体の上部に端子台を備え、
前記端子台は、
外部よりの電気配線が接続される接続端子部と、
少なくとも１個の前記接続端子部が取り付けられ、支点部で前記筐体に軸支され、前記支点部を支点に回転して取付方向が切り換えられる回転台とを備えると共に、
前記接続端子部が取り付けられる端子取付部と前記支点部をつなぎ、前記筐体から引き出されて前記接続端子部と接続される内部配線をガイドする配線誘導部を、前記回転台に備えた
ことを特徴とする設備機器。
【請求項２】
前記端子台は、前記接続端子部が前記筺体の側部を向く位置に、前記支点部を支点に前記回転台が回転して取付方向が切り換えられる
ことを特徴とする請求項１記載の設備機器。
【請求項３】
前記端子台は、前記接続端子部が、前記天井に設けられた点検蓋と対向する前記筺体の側部を向くように、前記支点部を支点に前記回転台が回転して取付方向が切り替えられる
ことを特徴とする請求項２記載の設備機器。
【発明の詳細な説明】
【技術分野】
【０００１】
本発明は、建物の天井に設置され、外部より電気配線が接続される設備機器に関する。
【背景技術】
【０００２】
従来より、住宅等の建物の天井には、空調装置や換気扇等の設備機器が配置される。例えば、浴室の天井には、浴室の暖房や換気等を行う浴室暖房換気乾燥装置が設置されている。
【０００３】
浴室暖房換気乾燥装置は、空気の吸込口や吹出口が形成されたフロントパネルは浴室の天井パネルに露出させ、ファン等が実装された筐体は、天井パネルに形成した開口部から天井裏に入り込ませる形態で、浴室の天井に設置される。
【０００４】
このような浴室暖房換気乾燥装置等の設備機器では、設備機器を操作するためのリモートコントロール装置からの電気配線や電源線等を接続する端子台が備えられている（例えば、特許文献１参照）。
【０００５】
例えば、浴室暖房換気乾燥装置では、端子台は筐体の上部に備えられ、端子台の取付方向は、予め決められた向きで固定されている。
【０００６】
【特許文献１】特開２００１−２５４９８２号公報
【発明の開示】
【発明が解決しようとする課題】
【０００７】
浴室暖房換気乾燥装置等の設備機器は、天井裏の高さが低い場所に設置される場合がある。一方、リモートコントロール装置からの電気配線や電源線等、設備機器に対する外部よりの電気配線の接続作業は、天井に備えられた点検蓋から行われる場合が多い。
【０００８】
しかし、従来の設備機器では、端子台は予め決められた向きで固定されているので、設備機器の取付方向によっては、電気配線の接続作業が行い難い向きに端子台が配置されてしまい、電気配線の接続作業が困難になって、施工性が著しく悪化するという問題があった。
【０００９】
本発明は、このような課題を解決するためになされたもので、電気配線の接続作業が容易に行える設備機器を提供することを目的とする。
【課題を解決するための手段】
【００１０】
上述した課題を解決するため、本発明の設備機器は、浴室の天井に設置される設備機器において、浴室の天井に設置される筐体の上部に端子台を備え、端子台は、外部よりの電気配線が接続される接続端子部と、少なくとも１個の接続端子部が取り付けられ、支点部で筐体に軸支され、支点部を支点に回転して取付方向が切り換えられる回転台とを備えると共に、接続端子部が取り付けられる端子取付部と支点部をつなぎ、筐体から引き出されて接続端子部と接続される内部配線をガイドする配線誘導部を、回転台に備えたことを特徴とする。
【００１１】
本発明の設備機器では、回転台の取付方向を切り換えることで、建物の天井に備えられる点検蓋の位置等に応じて、接続端子部の取付方向が切り換えられる。
【発明の効果】
【００１２】
本発明の設備機器によれば、接続端子部の取付方向を、電気配線の接続作業に適した向きに切り換えることができるので、電気配線の接続作業が容易に行え、施工性を向上させることができる。
【発明を実施するための最良の形態】
【００１３】
以下、図面を参照して本発明の設備機器としての浴室暖房換気乾燥装置の実施の形態について説明する。
【００１４】
＜本実施の形態の浴室暖房換気乾燥装置の構成例＞
図１は本実施の形態の端子台１を備えた浴室暖房換気乾燥装置２の一例を示す構成図である。端子台１は、外部よりの電気配線が接続される単数もしくは複数のコネクタ３と、コネクタ３が取り付けられる回転台４を備える。
【００１５】
コネクタ３は接続端子部の一例で、例えば、図示しない外部よりの電気配線に取り付けられたコネクタが着脱自在な構成である。また、図示しない外部よりの電気配線に取り付けられた端子がネジ等によって接続される構成でも良い。
【００１６】
回転台４は、例えばＴ字形状の板材等で構成され、単数もしくは複数のコネクタ３が取り付けられる端子取付部としてのコネクタ取付部４ａと、端子台１の取付方向を切り換える際の支点となる支点部４ｂと、コネクタ取付部４ａと支点部４ｂをつなぎ、コネクタ３に接続される内部配線５をガイドする配線誘導部としてのアーム部４ｃを備える。
【００１７】
端子台１は、回転台４のコネクタ取付部４ａに、本例では複数のコネクタ３が略一列に並ぶように取り付けられる。そして、端子台１は、各コネクタ３の並び方向に対して略直交し、かつ、支点部４ｂとは反対側の向きから、各コネクタ３に対する接続が可能な構成である。
【００１８】
また、端子台１は、浴室暖房換気乾燥装置２の上部に取り付けられ、回転台４の支点部４ｂを支点として、取付方向を切り換えることができる構成であり、例えば図１に実線で示す第１の向きと、二点鎖線で示す第２の向きに取付方向を切り換えることができる。
【００１９】
端子台１の取付方向を切り換える構成としては、例えば、端子台１を、支点部４ｂにおいて浴室暖房換気乾燥装置２の筐体２ａに軸支される構成とし、支点部４ｂを中心にして任意の方向あるいは特定の方向に回転できる構成としても良い。
【００２０】
また、端子台１をネジ等で筐体２ａに固定すると共に、支点部４ｂを支点に向きを変えて、取付位置を選択できるようにして、端子台１を筐体２ａから取り外し、取付方向を切り換えられる構成としても良い。
【００２１】
浴室暖房換気乾燥装置２は、筐体２ａに回路基板６が搭載され、端子台１に取り付けられた各コネクタ３と回路基板６の間が、内部配線５で電気的に接続されている。
【００２２】
内部配線５は、回転台４においてコネクタ取付部４ａと支点部４ｂをつなぐアーム部４ｃに沿ってガイドされる。また、筐体２ａから内部配線５が引き出される配線引出し部７は、支点部４ｂとは離れた位置に配置される。
【００２３】
図２は浴室暖房換気乾燥装置２の内部構成を示す断面図であり、次に、浴室暖房換気乾燥装置２の内部構成の一例について説明する。
【００２４】
浴室暖房換気乾燥装置２は、筐体２ａの上部に基板搭載部１１を備え、基板搭載部１１に回路基板６が搭載されている。また、浴室暖房換気乾燥装置２は、筐体２ａの内部にファンユニット１２とヒータ１３が取り付けられる。ファンユニット１２は、回転駆動される多翼の羽根車（ファン）１５と、羽根車１５を回転駆動するファンモータ１６と、ファンモータ１６が取り付けられると共に、風路を形成するファンケース１７を備える。
【００２５】
なお、図１で説明した端子台１の支点部４ｂの位置は、例えば、ファンモータ１６の軸受部としても良い。
【００２６】
ファンユニット１２は、羽根車１５が縦向きに配置され、ファンケース１７は、羽根車１５の軸方向に沿った下面が開口して吸込口１８が形成される。また、ファンケース１７は羽根車１５の接線方向に沿った一の側面が開口して、風路切換部１９を備える。
【００２７】
風路切換部１９は風路を切り換えるダンパ２０を備える。ダンパ２０は図示しないダンパモータの駆動力がカム２０ａを介して伝達され、軸２０ｂを支点に回転して開閉動作を行う。ファンケース１７は、風路切換部１９と連通して下面に吹出口２１を備えると共に、風路切換部１９と連通して一の側面に排気口２２を備え、ダンパ２０の位置によって、吸込口１８から吹出口２１へ連通した風路か、排気口２２へ連通した風路が形成される。
【００２８】
図２（ａ）では、ダンパ２０を全閉した状態を示す。ダンパ２０を全閉にすると、排気口２２への風路が遮断され、吸込口１８から吹出口２１へ連通した循環風路２３ａが形成される。このため、ダンパ２０が全閉となる位置をダンパ２０の循環位置と称す。
【００２９】
図２（ｂ）では、ダンパ２０を全開にした状態を示す。ダンパ２０を全開にすると、吹出口２１への風路が遮断され、吸込口１８から排気口２２へ連通した換気風路２３ｂが形成される。このため、ダンパ２０が全開となる位置をダンパ２０の換気位置と称す。
【００３０】
図２（ｃ）では、ダンパ２０を循環位置と換気位置の中間位置にした状態を示す。ダンパ２０を循環位置と換気位置の中間位置にすると、吸込口１８から吹出口２１へ連通した循環風路２３ａと、吸込口１８から排気口２２へ連通した換気風路２３ｂの双方が形成される。この中間位置を循環換気位置と称す。
【００３１】
ヒータ１３は電気ヒータで構成され、上述した吹出口２１に備えられる。ここで、ヒータ１３としては例えばＰＴＣヒータを備える。
【００３２】
筐体２ａは、下面が開口しファンユニット１２の吸込口１８と吹出口２１が露出する。そして、筐体２ａは、下面開口部にフロントパネル２４が取り付けられる。
【００３３】
フロントパネル２４は、筐体２ａに着脱できるように構成され、ファンユニット１２の吸込口１８と対向して吸込グリル２５を備えると共に、ファンユニット１２の吹出口２１と対向して吹出グリル２６を備える。また、フロントパネル２４は、吸込グリル２５の裏側にフィルタ２７が交換可能に取り付けられる。
【００３４】
更に、筐体２ａは、ファンユニット１２の排気口２２と連通する排気ダクト接続部２８を一の側面に備える。浴室暖房換気乾燥装置２は、排気ダクト接続部２８に後述する排気ダクトが接続される。
【００３５】
＜浴室暖房換気乾燥装置の設置例＞
図３は浴室暖房換気乾燥装置２の設置例を示す浴室の構成図である。浴室暖房換気乾燥装置２は、浴室３１の天井に設置される。浴室３１の天井パネルには、図１等で説明した浴室暖房換気乾燥装置２の筐体２ａが入る開口部が形成され、浴室暖房換気乾燥装置２は、フロントパネル２４が露出するようにして、天井裏から吊り下げる形態、あるいは天井パネルに固定する形態等で取り付けられる。
【００３６】
なお、浴室暖房換気乾燥装置２の筐体２ａは、図１に示すように略長方形であり、浴室暖房換気乾燥装置２は、浴槽３１ａの長手方向に沿った向きで取り付けられる。
【００３７】
浴室３１の天井に取り付けられた浴室暖房換気乾燥装置２は、図２で説明した排気ダクト接続部２８に排気ダクト３２が接続される。排気ダクト３２は、図示しない建物の外壁３３に取り付けた屋外グリル３４に接続され、浴室暖房換気乾燥装置２で浴室３１等から吸い込んだ空気を、排気ダクト３２を介して屋外に排気できる構成となっている。
【００３８】
浴室暖房換気乾燥装置２は、浴室３１に隣接する洗面脱衣所３５に設置されたリモートコントロール装置３６の操作を受けて、所定の制御を実行する。リモートコントロール装置３６は、浴室暖房換気乾燥装置２の端子台１に取り付けられたコネクタ３と電気配線である外部配線３７で接続され、暖房運転や換気運転等の開始及び停止等の操作が行われる。
【００３９】
また、浴室暖房換気乾燥装置２は、図示しない電源線や、トイレ等の換気扇を連動させる電気配線、更には、トイレや浴室３１の照明スイッチ等からの電気配線等が接続可能な構成であり、外部より接続される電気配線に合わせて、コネクタ３が備えられている。
【００４０】
ここで、浴室暖房換気乾燥装置２とリモートコントロール装置３６等の電気配線の接続作業は、浴室３１の天井パネルに開閉可能に備えられた点検蓋３８を開けて、天井裏で行われる。なお、浴室３１の入口には浴室ドア３９を備え、浴室ドア３９は空気取入口（ガラリ）３９ａを備えて、浴室３１に隣接した洗面脱衣所３５等の空気を浴室３１内に取り込めるようになっている。
【００４１】
図４は浴室のタイプに応じた浴室暖房換気乾燥装置の設置例を示す説明図である。浴室３１は、浴槽３１ａと洗い場３１ｂの配置と、浴室ドア３９の配置の関係から、左タイプと称されるものと右タイプと称されるものがあり、住宅のレイアウト等に応じて最適な形態のものが選択可能になっている。
【００４２】
例えば、図４（ａ）に示す浴室３１Ｌを左タイプとし、図４（ｂ）に示す浴室３１Ｒを右タイプとする。
【００４３】
浴室暖房換気乾燥装置２は、屋外グリル３４を設置する場所によって取付方向が決められ、浴槽３１ａの長手方向に沿って浴室３１の天井パネルに設置される。
【００４４】
これにより、図４（ａ）に示す浴室３１Ｌでは、浴室暖房換気乾燥装置２の長手方向の一方の側部２Ｌが、点検蓋３８と対向する。このため、端子台１は、支点部４ｂを支点に取付方向を切り換えて、コネクタ３が浴室暖房換気乾燥装置２の長手方向の一方の側部２Ｌを向くように、図１に実線で示した第１の向きとする。
【００４５】
これにより、端子台１に取り付けられているコネクタ３は、点検蓋３８側に配置されると共に、点検蓋３８側からの接続が可能となる。
【００４６】
これに対して、図４（ｂ）に示す浴室３１Ｒでは、浴室暖房換気乾燥装置２の長手方向の他方の側部２Ｒが、点検蓋３８と対向する。このため、端子台１は、支点部４ｂを支点に取付方向を切り換えて、コネクタ３が浴室暖房換気乾燥装置２の長手方向の他方の側部２Ｒを向くように、図１に二点鎖線で示した第２の向きとする。
【００４７】
これにより、端子台１に取り付けられているコネクタ３は、点検蓋３８側に配置されると共に、点検蓋３８側からの接続が可能となる。
【００４８】
このように、浴室暖房換気乾燥装置２の取付方向と、点検蓋３８との位置関係等に応じて、端子台１の取付方向が切り換えられることで、浴室暖房換気乾燥装置２の取付方向によらず、点検蓋３８から外部配線３７の接続作業が容易に行えるようになり、施工性を向上させることができる。
【００４９】
なお、図４に示す端子台１の取付方向は一例であり、点検蓋３８の位置等に応じて、例えば、コネクタ３が浴室暖房換気乾燥装置２の短手方向の側部を向くような取付方向としても良い。
【００５０】
さて、図１に示すように、浴室暖房換気乾燥装置２においては、コネクタ３に接続される内部配線５が筐体２ａから引き出される配線引出し部７が、端子台１の支点部４ｂとは離れた位置に配置されている。また、内部配線５は、回転台４においてコネクタ取付部４ａと支点部４ｂをつなぐアーム部４ｃに沿ってガイドされる。
【００５１】
これにより、端子台１を支点部４ｂを支点に取付方向を切り換えると、コネクタ３に接続されている各内部配線５は、支点部４ｂ付近で折れ曲がる形態となる。よって、端子台１を支点部４ｂを支点に回転させても、内部配線５同士がねじれることがなく、断線等を防ぐことができる。
【００５２】
また、内部配線５を、端子台１のアーム部４ｃに収納する構成とすれば、衝撃等による内部配線５の損傷を防ぐことができる。
【００５３】
＜浴室暖房換気乾燥装置の動作例＞
次に、浴室暖房換気乾燥装置２における暖房運転等の動作の概要について説明する。暖房運転では、ダンパ２０の位置を図２（ａ）に示す循環位置にすると共に、ヒータ１３を駆動する。
【００５４】
浴室暖房換気乾燥装置２は、ファンモータ１６が回転駆動されると、ファンユニット１２の羽根車１５が回転する。羽根車１５が回転駆動されると、フロントパネル２４の吸込グリル２５を介してファンユニット１２の吸込口１８から浴室３１の空気が吸い込まれる。
【００５５】
ダンパ２０の位置が図２（ａ）に示す循環位置であると、ファンユニット１２において吸込口１８から吹出口２１への循環風路２３ａが形成されるので、吸込口１８から吸い込まれた空気は、循環風路２３ａを通り吹出口２１からフロントパネル２４の吹出グリル２６を介して浴室３１内に吹き出される。
【００５６】
ヒータ１３は循環風路２３ａの吹出口２１に配置されるので、ヒータ１３が駆動されることで、循環風路２３ａを通る空気が温められて、吹出グリル２６から吹き出す。
【００５７】
これにより、暖房運転では、浴室３１内の空気を循環させながら、浴室３１内に温風が吹き出されて、浴室３１内の暖房が行われる。
【００５８】
換気運転では、ダンパ２０の位置を図２（ｂ）に示す換気位置にする。なお、ヒータ１３は駆動しない。
【００５９】
ダンパ２０の位置が図２（ｂ）に示す換気位置であると、ファンユニット１２において吸込口１８から排気口２２への換気風路２３ｂが形成されるので、ファンモータ１６が回転駆動されることで吸込口１８から吸い込まれた空気は、換気風路２３ｂ及び排気口２２を通り、更に、図３に示す排気ダクト３２を通って屋外グリル３４から屋外へ排気される。
【００６０】
これにより、換気運転では、浴室３１内の湯気や湿気が排気される。
【００６１】
乾燥運転では、ダンパ２０の位置が図２（ｃ）に示す循環換気位置にすると共に、ヒータ１３を駆動する。
【００６２】
ダンパ２０の位置が図２（ｃ）に示す循環換気位置であると、ファンユニット１２において吸込口１８から吹出口２１への循環風路２３ａと、吸込口１８から排気口２２への換気風路２３ｂの双方が形成されるので、ファンモータ１６が回転駆動されることで吸込口１８から吸い込まれた空気は、一部は循環風路２３ａを通り吹出口２１からフロントパネル２４の吹出グリル２６を介して浴室３１内に吹き出される。
【００６３】
また、吸込口１８から吸い込まれた空気の残部は、換気風路２３ｂ及び排気口２２を通り、更に、図３に示す排気ダクト３２を通って屋外グリル３４から屋外へ排気される。
【００６４】
これにより、乾燥運転では、浴室３１内の空気を循環させて浴室３１内に温風を吹き出しながら、浴室３１内の湯気や湿気が排気される。
【００６５】
なお、涼風運転では、ダンパ２０を循環換気位置にすると共に、ヒータ１３を非駆動とすることで、浴室３１内の空気を循環させながら、浴室３１内の湯気や湿気が排気される。
【００６６】
＜浴室暖房換気乾燥装置の変形例＞
上述した実施の形態では、浴室暖房換気乾燥装置２として、１個のファンとダンパを備えて、浴室内の空気の循環と排気を行える構成を例に説明したが、循環用のファンと排気（換気）用のファンを独立して備えた構成でも良い。
【産業上の利用可能性】
【００６７】
本発明は、住宅等の建物の天井に設置される空調装置や換気扇等の設備機器に適用される。
【図面の簡単な説明】
【００６８】
【図１】本実施の形態の端子台を備えた浴室暖房換気乾燥装置の一例を示す構成図である。
【図２】浴室暖房換気乾燥装置の内部構成を示す断面図である。
【図３】浴室暖房換気乾燥装置の設置例を示す浴室の構成図である。供給制御弁装置の一例を示す構成図である。
【図４】浴室のタイプに応じた浴室暖房換気乾燥装置の設置例を示す説明図である。
【符号の説明】
【００６９】
１・・・端子台、２・・・浴室暖房換気乾燥装置、３・・・コネクタ、４・・・回転台、４ａ・・・コネクタ取付部、４ｂ・・・支点部、４ｃ・・・アーム部、５・・・内部配線、６・・・回路基板、７・・・配線引出し部、３１・・・浴室
【図１】
0004826193.tif 000002
【図２】
0004826193.tif 000003
【図３】
0004826193.tif 000004
【図４】
0004826193.tif 000005